(57)【要約】      （修正有）【課題】スプールに付与される磁気制動力を釣人の好みや熟練度に応じて幅広く設定でき、キャスティング時の操作性に優れた魚釣用リールを提供する。【解決手段】制動機構18は、スプール12に追従して回転するとともに、スプール軸9の軸方向に移動可能な導電体23と、リール本体に設けられて導電体23と向かい合う磁石と、スプール12の回転に伴う遠心力を受けてスプール12の径方向に移動する複数の移動部材22a, 22bとを備えている。移動部材22a, 22bは、導電体23を磁石に近づいたり遠ざかる方向に変位させ、導電体23に作用する磁石の磁力を変化させて磁気制動力を増減させる。この移動部材22a, 22bに重量調節体36を選択的に取り外し可能に装着することで、例えば釣人の好みや熟練度に応じて移動部材22a, 22bの質量を自由に調整することができる。【選択図】図５
2008178310.tif 000002
【特許請求の範囲】
【請求項１】
リール本体にスプール軸を介して回転自在に支持されたスプールと、
回転するスプールに磁気制動力を付与する制動機構と、を具備する魚釣用リールであって、
上記制動機構は、
上記スプールの一端に設けられ、上記スプールに追従して回転するとともに、上記スプール軸の軸方向に移動可能な導電体と、
上記リール本体に設けられ、上記導電体と向かい合う磁石と、
上記スプールの回転に伴う遠心力を受けて上記スプールの径方向に移動することで、上記導電体を上記磁石に近づいたり遠ざかる方向に変位させ、上記導電体に作用する上記磁石の磁力を変化させて上記磁気制動力を増減させる複数の移動部材と、
上記移動部材に選択的に装着可能な重量調節体と、を備えることを特徴とする魚釣用リール。
【請求項２】
請求項１の記載において、上記移動部材は、上記スプールの軸方向に延びる嵌合孔を有するとともに、上記スプールの周方向に間隔を存して配置され、上記重量調節体は、上記嵌合孔に取り外し可能に嵌合されることを特徴とする魚釣用リール。
【請求項３】
請求項１の記載において、上記重量調節体は、質量が異なる複数のウエイトを含み、これらウエイトの中から所望の質量のウエイトを選択して上記移動部材に装着することを特徴とする魚釣用リール。
【請求項４】
リール本体にスプール軸を介して回転自在に支持されたスプールと、
回転するスプールに磁気制動力を付与することで上記スプールの過剰回転を防ぐバックラッシュ防止機構と、を具備する魚釣用リールであって、
上記バックラッシュ防止機構は、
上記スプールに追従して回転するとともに、上記スプール軸の軸方向に移動可能な第１の移動部材と、
上記第１の移動部材に取り付けられ、上記第１の移動部材と一緒に移動する導電体と、
上記リール本体に設けられ、上記導電体と向かい合う磁石と、
上記導電体を上記磁石から遠ざかる方向に付勢する弾性部材と、
上記第１の移動部材に支持され、上記スプールの回転に伴う遠心力を受けて上記スプールの径方向に移動することで、上記導電体を上記弾性部材の付勢力に抗して上記磁石に近づく方向に変位させ、上記導電体に作用する上記磁石の磁力を変化させて上記磁気制動力を調節する複数の第２の移動部材と、
上記第２の移動部材に選択的に取り外し可能に装着される重量調節体と、を備えることを特徴とする魚釣用リール。
【発明の詳細な説明】
【技術分野】
【０００１】
本発明は、スプールに磁気制動力を付与することでスプールの過剰回転を防ぐ制動機構を備えた魚釣用リールに係り、特にスプールに付与される磁気制動力を釣人の好みや釣場の状況等に応じて幅広く調節するための構造に関する。
【背景技術】
【０００２】
例えば両軸受タイプの魚釣用リールでは、キャスティング時にスプール自体が回転することにより釣糸が繰り出される。このため、釣糸の繰り出し速度よりもスプールの回転速度が速すぎると、バックラッシュ現象が生じて釣糸の絡みや食い込み等の不具合を招く原因となる。
【０００３】
このバックラッシュ現象を防止するため、特許文献１に開示された魚釣用リールは、釣糸の繰り出しに伴うスプールの過剰回転を抑制する制動機構を装備している。従来の制動機構は、スプールに追従して回転しつつスプールの軸方向に移動可能な第１の移動部材と、この第１の移動部材に取り付けられた円筒状の導電体と、この導電体と向かい合う磁石と、上記第１の移動部材に支持された複数の第２の移動部材と、を備えている。
【０００４】
第１の移動部材は、コイルばねを介して磁石から遠ざかる方向に付勢されている。第２の移動部材は、スプールに対し放射状に配置されて、スプールの径方向に移動可能となっている。
【０００５】
第２の移動部材は、スプールの回転に伴う遠心力を受けた時にスプールの径方向外側に向って移動し、スプールのテーパ状内周面に接触する。これにより、第２の移動部材とスプールとの接触部分に、第１の移動部材を磁石の方向に押し出そうとする押圧力が発生する。この押圧力がコイルばねの付勢力に打ち勝った時点で、導電体が第１の移動部材と一緒に磁石に近づく方向に移動し、この磁石の磁力により導電体に渦電流が発生する。
【０００６】
よって、導電体と一緒に回転するスプールに磁気制動力が作用し、スプールの過剰回転に伴うバックラッシュの発生が防止される。
【０００７】
さらに、特許文献１の制動装置では、複数の第２の移動部材が移動可能状態と移動禁止状態とに選択的に切り換え可能となっている。このため、スプールの径方向に移動可能な第２の移動部材の数を増減させることで、スプールに作用する制動力の大きさやスプールに制動力が作用する回転域を、釣人の熟練度や好みに応じて適宜調節することが可能となる。
【特許文献１】特許第３５１５８７５号公報
【発明の開示】
【発明が解決しようとする課題】
【０００８】
従来の魚釣用リールの制動装置では、スプールの径方向に移動する第２の移動部材の数を変更することで、スプールの制動特性を任意に選択することができる。
【０００９】
しかしながら、第２の移動部材は、魚釣用リールに予め装備されている構成要素であるため、その数がかなり制限された状態にある。言い換えると、第２の移動部材の数は、魚釣用リールの形状、重量およびコスト等に大きな影響を及ぼすために無闇に増やすことはできない。
【００１０】
このため、径方向に移動可能となる第２の移動部材の数を変更しても、スプールの制動特性を調節し得る範囲が段階的かつ限定的なものとなり、例えばキャスティング状況あるいは釣場の状況に応じてスプールの制動特性を広範囲に亘って微妙に調節したいという要求を満たすことが困難な状況となる。
【００１１】
本発明の目的は、スプールに付与される磁気制動力を、例えば釣人の好みや熟練度に応じて幅広く設定することができ、特にキャスティング時の操作性に優れた魚釣用リールを得ることにある。
【課題を解決するための手段】
【００１２】
上記目的を達成するため、本発明の一つの形態に係る魚釣用リールは、  
リール本体にスプール軸を介して回転自在に支持されたスプールと、回転するスプールに磁気制動力を付与する制動機構と、を具備している。  
上記制動機構は、(1)上記スプールの一端に設けられ、上記スプールに追従して回転するとともに、上記スプール軸の軸方向に移動可能な導電体と、(2)上記リール本体に設けられ、上記導電体と向かい合う磁石と、(3)上記スプールの回転に伴う遠心力を受けて上記スプールの径方向に移動することで、上記導電体を上記磁石に近づいたり遠ざかる方向に変位させ、上記導電体に作用する上記磁石の磁力を変化させて上記磁気制動力を増減させる複数の移動部材と、(4)上記移動部材に選択的に装着可能な重量調節体と、を備えることを特徴としている。
【発明の効果】
【００１３】
本発明によれば、スプールの回転に伴う遠心力の大きさに応じて導電体を移動させる移動部材に、必要に応じて重量調節体を装着することで、移動部材の質量そのものを小刻みに変化させることができる。
【００１４】
このため、移動部材がスプールの遠心力を受けた時に、導電体が磁石に近づいたり、あるいは磁石から遠ざかるタイミングを広範囲に亘って微妙に変化させることが可能となり、スプールに対する制動力の効き具合を、例えば釣人の好みや熟練度に適合するように幅広く調節することができる。
【発明を実施するための最良の形態】
【００１５】
以下本発明の第１の実施の形態を、図１ないし図８に基づいて説明する。
【００１６】
図１は、両軸受タイプの魚釣用リール１を開示している。魚釣用リール１は、金属製のリール本体２を備えている。リール本体２は、釣竿のリールシートに固定される。
【００１７】
リール本体２は、左右一対の側壁部３ａ，３ｂと、第１および第２のサイドカバー４ａ，４ｂと、を備えている。側壁部３ａ，３ｂは、魚釣用リール１の幅方向に間隔を存して向かい合っている。第１のサイドカバー４ａは、左側の側壁部３ａに着脱可能に取り付けられて、この側壁部３ａを魚釣用リール１の左側方から覆っている。第２のサイドカバー４ｂは、右側の側壁部３ｂに着脱可能に取り付けられて、この側壁部３ｂを魚釣用リール１の右側方から覆っている。
【００１８】
図１に示すように、第１のサイドカバー４ａに磁石ホルダー５がねじ止めされている。磁石ホルダー５は、第１の円筒部６と第２の円筒部７とを備えている。第２の円筒部７は、第１の円筒部６よりも大径であり、第１の円筒部６を同軸状に取り囲んでいる。第１および第２の円筒部６，７は、リール本体２の側壁部３ａ，３ｂの間に露出している。
【００１９】
リール本体２は、スプール軸９を回転自在に支持している。スプール軸９は、リール本体２の側壁部３ａ，３ｂの間に跨っている。スプール軸９の一端は、軸受１０を介して磁石ホルダー５の第１の円筒部６に回転自在に支持されている。スプール軸９の他端は、他の軸受１１を介してリール本体２の右側の側壁部３ｂに回転自在に支持されている。
【００２０】
スプール軸９の外周面上にスプール１２が固定されている。スプール１２は、スプール軸９が貫通するボス部１３と、釣糸を巻き付ける円筒状の胴部１４とを有している。胴部１４は、スプール軸９を同軸状に取り囲んでいる。胴部１４の内周面のうち、ボス部１３の左側に位置する部分は、左側の側壁部３ａの方向に進むに従いスプール軸９の径方向外側に向けて傾斜する平滑なテーパ面１５をなしている。
【００２１】
スプール軸９の他端は、クラッチを有する回転力伝達手段を介してハンドル１６に接続されている。ハンドル１６は、釣糸をスプール１２に巻き取る際に手で操作するもので、図示しないハンドル軸を介してリール本体２に回転自在に支持されている。
【００２２】
上記クラッチは、釣人が操作釦を操作することでＯＮ位置とＯＦＦ位置とに切り換えが可能となっている。ＯＮ位置では、ハンドル１６とスプール軸９との間が機械的に結合されて、ハンドル１６に入力された回転力がスプール軸９に伝わり、釣糸を巻き取る方向にスプール１２を回転させることができる。ＯＦＦ位置では、ハンドル１６とスプール軸９との結合が解除されて、スプール１２が自由に回転し得る状態に移行し、スプール１２からの釣糸の繰り出しが可能となる。
【００２３】
図１に示すように、魚釣用リール１は、回転するスプール１２に磁気制動力を付与するための制動機構１８を搭載している。制動機構１８は、スプール１２から釣糸が繰り出される時に、スプール１２の過剰回転を抑制するバックラッシュ防止機構の一例であり、スプール１２の一端と磁石ホルダー５との間に介在されている。
【００２４】
図１および図２に示すように、制動機構１８は、複数の第１の磁石１９、複数の第２の磁石２０、第１の移動部材２１、一対の第２の移動部材２２ａ，２２ｂおよび導電体２３を備えている。
【００２５】
第１の磁石１９は、磁石ホルダー５の第１の円筒部６の外周面に支持されて、第１の円筒部６の周方向に間隔を存して並んでいる。隣り合う第１の磁石１９においては、第１の円筒部６の径方向外側を向く磁極が互いに異なっている。第２の磁石２０は、磁石ホルダー５の第２の円筒部７の内周面に支持されて、第２の円筒部７の周方向に間隔を存して並んでいる。隣り合う第２の磁石２０においては、第２の円筒部７の径方向内側を向く磁極が互いに異なっている。
【００２６】
さらに、第１の磁石１９の外周面と第２の磁石２０の内周面とは、隙間２５を介して互いに向かい合っている。隙間２５は、第1および第２の円筒部６，７の周方向に連続するとともに、スプール軸９と同軸状をなしている。
【００２７】
本実施の形態によると、磁石ホルダー５の第２の円筒部７は、第１のサイドカバー４ａに設けた磁力調整摘み２６を操作することで、周方向に回動可能となっている。この回動により、第１の磁石１９の磁極と第２の磁石２０の磁極との相対的な位置関係を変化させることができる。言い換えると、第１の磁石１９と第２の磁石２０との相対的な位置を、吸引磁力が最大となる位置と、反発磁力が最大となる位置との間で任意に変化させることができる。
【００２８】
上記第１の移動部材２１は、スプール軸９が貫通するボス部２７と支持壁２８とを有している。ボス部２７は、スプール軸９と一体に回転しつつ、スプール軸９の軸方向に移動可能にスプール軸９に支持されている。支持壁２８は、ボス部２７の外周面から径方向外側に向けて拡がる円盤状をなしている。
【００２９】
第１の移動部材２１の支持壁２８に一対のガイド孔３０が形成されている。ガイド孔３０は、ボス部２７の径方向に対向する二箇所から支持壁２８の径方向に延びるスリット状をなしており、その先端が支持壁２８の外周縁に開口している。支持壁２８の外周縁は、スプール１２のテーパ面１５の内側に位置している。
【００３０】
図２ないし図４に示すように、上記第２の移動部材２２ａ，２２ｂは、第１の移動部材２１の支持壁２８に支持されている。第２の移動部材２２ａ，２２ｂは、略角柱状をなしている。第２の移動部材２２ａ，２２ｂの中間部の外周面に夫々小径部３１が形成されている。小径部３１は、支持壁２８のガイド孔３０に摺動可能に嵌め込まれている。この嵌合により、第２の移動部材２２ａ，２２ｂは、ガイド孔３０に沿ってスプール１２の径方向に移動可能となっている。
【００３１】
第２の移動部材２２ａ，２２ｂは、スプール１２のテーパ面１５と向かい合う外面３２を有している。外面３２は、テーパ面１５に沿うように傾斜しているとともに、テーパ面１５と同様に平滑に仕上げられている。
【００３２】
第２の移動部材２２ａ，２２ｂは、図２ないし図４に示すような嵌合孔３３を有している。嵌合孔３３は、第２の移動部材２２ａ，２２ｂをスプール軸９の軸方向に沿って貫通している。
【００３３】
第２の移動部材２２ａ，２２ｂは、第１の移動部材２１を介してスプール１２と一緒に回転する。第２の移動部材２２ａ，２２ｂは、スプール１２の回転に伴う遠心力を受けた時にスプール１２の径方向外側に向けて移動し、その外面３２がスプール１２のテーパ面１５に押し付けられる。
【００３４】
これにより、第２の移動部材２２ａ，２２ｂとスプール１２との接触部分に、第２の移動部材２２ａ，２２ｂを第１および第２の磁石１９，２０に向けて押し出そうとする力が発生する。この結果、第１の移動部材２１が第２の移動部材２２ａ，２２ｂを介して第１および第２の磁石１９，２０に近づく方向に移動するようになっている。
【００３５】
上記導電体２３は、例えばアルミニウム合金や銅のような金属材料により円筒状に形成されている。導電体２３は、第１の移動部材２１の支持壁２８の外周部に支持されて、第１の移動部材２１と一緒に回転しつつ、スプール軸９の軸方向に移動可能となっている。導電体２３は、スプール軸９と同軸状をなすとともに、第１の移動部材２１の支持壁２８から第１および第２の磁石１９，２０の間の隙間２５に向けて突出している。
【００３６】
図２に示すように、スプール軸９の外周面上に圧縮コイルばね３４が装着されている。圧縮コイルばね３４は、弾性部材の一例であって、スプール１２が停止している時に、第１の移動部材２１のボス部２７を第１および第２の磁石１９，２０から遠ざかる方向に弾性的に付勢している。このため、スプール１２が停止している限り、導電体２３は圧縮コイルばね３４によって第１および第２の磁石１９，２０から遠ざけられており、導電体２３の支持壁２８とは反対側の先端部が隙間２５の外に引き出されている。
【００３７】
図５ないし図７に示すように、制動機構１８は、第２の移動部材２２ａ，２２ｂの質量を調節するための重量調節体３６をさらに備えている。重量調節体３６は、質量が異なる複数のピン状のウエイト３７を含んでいる。ウエイト３７は、第２の移動部材２２ａ，２２ｂの嵌合孔３３に選択的に装着されるものである。
【００３８】
図８に示すように、ウエイト３７は、その軸方向に沿う一端に第１のフランジ３８ａを有するとともに、軸方向に沿う他端に第２のフランジ３８ｂおよびすり割り３９を有している。第１および第２のフランジ３８ａ，３８ｂの外径は、嵌合孔３３の内径よりも僅かに大きく形成されている。
【００３９】
ウエイト３７は、第２のフランジ３８ｂを先頭にして第２の移動部材２２ａ，２２ｂの嵌合孔３３に押し込まれる。この押し込みにより、第２のフランジ３８ｂの外周縁が嵌合孔３３の内面によって押圧されるので、第２のフランジ３８ｂを含むウエイト３７の他端がすり割り３９を閉じるように縮径する。これにより、ウエイト３７の他端が嵌合孔３３内に入り込む。
【００４０】
ウエイト３７の他端が嵌合孔３３を通り抜けると、第２のフランジ３８ｂの押圧が解除されるので、ウエイト３７の他端のすり割り３９が元の形状に復帰し、第２のフランジ３８ｂが嵌合孔３３の一方の開口縁に引っ掛かる。それとともに、ウエイト３７の挿入方向に後端に位置する第１のフランジ３８ａが嵌合孔３３の他方の開口縁に突き当たる。この結果、ウエイト３７が第２の移動部材２２ａ，２２ｂの嵌合孔３３に脱落することなく強固に固定される。
【００４１】
このような構成の魚釣用リール１において、リール本体２のクラッチをＯＦＦ位置にして釣竿をキャスティングすると、飛翔する仕掛けにより釣糸が引っ張られる。これによりスプール１２が回転し、スプール１２から釣糸が順次繰り出される。スプール１２が回転すると、スプール軸９上の第１および第２の移動部材２１，２２ａ，２２ｂがスプール１２と一緒に回転する。
【００４２】
キャスティング開始直後では、スプール１２の回転速度が低いために、第２の移動部材２２ａ，２２ｂに作用する遠心力は小さい。このため、第２の移動部材２２ａ，２２ｂの外面３２がスプール１２のテーパ面１５に押し付けられても、第１の移動部材２１を圧縮コイルばね３４の付勢力に抗して第１および第２の磁石１９，２０に向けて押し出すことができない。
【００４３】
したがって、導電体２３にしても第１および第２の磁石１９，２０に近づくことができず、導電体２３の先端部は、第１および第２の磁石１９，２０の間の隙間２５から外れた位置に止まっている。この結果、導電体２３が第１および第２の磁石１９，２０の間に形成される磁束を横切ることはないので、導電体２３に渦電流は発生せず、導電体２３と一緒に回転するスプール１２に磁気制動力は生じない。
【００４４】
キャスティングの中期では、釣糸の繰り出しに伴ってスプール１２の回転速度が増大するので、第２の移動部材２２ａ，２２ｂに作用する遠心力が大きくなる。これにより、第２の移動部材２２ａ，２２ｂの外面３２がスプール１２のテーパ面１５に強く押し付けられ、第１の移動部材２１を第１および第２の磁石１９，２０に近づく方向に押し出そうとする力が圧縮コイルばね３４の付勢力に打ち勝つ。
【００４５】
そのため、第１の移動部材２１が導電体２３を伴って第１および第２の磁石１９，２０に近づく方向に移動を開始し、導電体２３の先端部が第１および第２の磁石１９，２０の間の隙間２５に徐々に入り込む。
【００４６】
この結果、導電体２３が第１および第２の磁石１９，２０の間に形成される磁束を横切るので、第１および第２の磁石１９，２０の磁力の作用により導電体２３に渦電流が発生する。渦電流は、磁束を横切る部分の導電体２３の面積およびスプール１２の回転速度に比例して増大し、この渦電流によりスプール１２に作用する磁気制動力も大きくなる。
【００４７】
このことから、キャスティングの中期においては、釣糸にバックラッシュを生じさせる原因となるスプール１２の回転速度の過度の上昇を適度に抑制することができる。
【００４８】
キャスティングの終期において、スプール１２の回転速度が低下すると、第２の移動部材２２ａ，２２ｂに作用する遠心力が小さくなる。このため、第２の移動部材２２ａ，２２ｂの外面３２をスプール１２のテーパ面１５に押し付ける力が減少し、第１の移動部材２１を第１および第２の磁石１９，２０に近づく方向に押し出そうとする力が圧縮コイルばね３４の付勢力よりも小さくなる。
【００４９】
この結果、第１の移動部材２１が圧縮コイルばね３４によって第１および第２の磁石１９，２０から遠ざかる方向に押し戻され、導電体２３の先端部が第１および第２の磁石１９，２０の間の隙間２５から徐々に抜け出す。これにより、第１および第２の磁石１９，２０の間に形成される磁束を横切る導電体２３の面積が減少し、導電体２３に発生する渦電流ひいてはスプール１２に生じる制動力が、磁束を横切る部分の導電体２３の面積およびスプール１２の回転速度の減少に比例して小さくなる。
【００５０】
よって、キャスティングの終期においても、スプール１２に作用する磁気制動力が急激に低下することはなく、回転するスプール１２の慣性に伴うバックラッシュ現象の発生を防止することができる。
【００５１】
ところで、第１の実施の形態の魚釣用リール１では、第２の移動部材２２ａ，２２ｂに夫々嵌合孔３３が形成され、この嵌合孔３３に比重が異なる複数のウエイト３７を選択的に装着し得るようになっている。
【００５２】
すなわち、キャスティングに先立って、遠心力によって移動する第２の移動部材２２ａ，２２ｂの質量を、例えば釣人の好みや釣場の状況等に応じて変化させることが可能となる。第２の移動部材２２ａ，２２ｂの質量を変化させるに当っては、まずリール本体２の第１のサイドカバー４ａを左側の側壁部３ａから取り外し、スプール軸９をスプール１２と一緒にリール本体２から取り外す。
【００５３】
これにより、スプール軸９の上に位置する第１および第２の移動部材２１，２２ａ，２２ｂがリール本体２から離脱するので、例えば釣人の熟練度や釣場の状況に応じた所望の質量のウエイト３７を選択し、この選択したウエイト３７を図８に示すように第２の移動部材２２ａ，２２ｂの嵌合孔３３に嵌め込む。
【００５４】
この際、質量が異なる数多くのウエイト３７を予め準備しておくことで、第２の移動部材２２ａ，２２ｂの質量そのものを多段階に亘って小刻みに変化させることができる。
【００５５】
具体的には、第２の移動部材２２ａ，２２ｂの質量を変化させることで、第２の移動部材２２ａ，２２ｂが遠心力を受けた時に、導電体２３の先端部が第１および第２の磁石１９，２０の間の隙間２５に出入りするタイミングを広範囲に亘って微妙に変化させることができる。
【００５６】
よって、スプール２３に対する磁気制動力の効き具合を釣人の好みや個人差に対応し得るように幅広く調節することが可能となり、キャスティング時にバックラッシュを起こさないようにする操作を、特に熟練を要することなく容易に行うことができるといった利点がある。
【００５７】
本発明は上記第１の実施の形態に特定されるものではなく、発明の主旨を逸脱しない範囲内で種々変更して実施可能である。
【００５８】
例えば、図９は本発明の第２の実施の形態を開示している。
【００５９】
この第２の実施の形態は、第２の移動部材２２ａ，２２ｂの質量を変化させるための構成が上記第１の実施の形態と相違している。図９に示すように、第２の移動部材２２ａ，２２ｂは、複数の嵌合孔４１を有している。嵌合孔４１は、第２の移動部材２２ａ，２２ｂをスプール軸の軸方向に沿って貫通しているとともに、第２の移動部材２２ａ，２２ｂの移動方向に間隔を存して一列に並んでいる。
【００６０】
各嵌合孔４１は、大径部４２ａと小径部４２ｂとを有している。大径部４２ａおよび小径部４２ｂは、同軸状をなして互いに連通している。大径部４２ａは、第２の移動部材２２ａ，２２ｂの導電体側の端面に開口している。小径部４２ｂは、第２の移動部材２２ａ，２２ｂの導電体とは反対側の端面に開口している。
【００６１】
重量調節体３６は、複数のピン状のウエイト４３を含んでいる。ウエイト４３は、互いに質量が異なっている。各ウエイト４３は、嵌合孔４１の大径部４２ａに嵌め込むことで大径部４２ａに取り外し可能に保持されるようになっている。
【００６２】
大径部４２ａからウエイト４３を取り外すには、図９に示すように、嵌合孔４１の小径部４２ｂに棒状の細い工具４４を挿入し、この工具４４の先端で大径部４２ａ内に位置するウエイト４３を押圧する。これにより、ウエイト４３が大径部４２ａから第２の移動部材２２ａ，２２ｂの外に押し出され、ウエイト４３の取り外しおよび交換が可能となる。
【００６３】
このような第２の実施の形態によると、例えば釣人の熟練度や釣場の状況に応じた所望の質量のウエイト４３を選択し、この選択したウエイト４３を嵌合孔４１の大径部４２ａに嵌め込む。嵌合孔４１は、第２の移動部材２２ａ，２２ｂに複数形成されているので、第２の移動部材２２ａ，２２ｂに装着すべきウエイト４３の数を変えることで、第２の移動部材２２ａ，２２ｂの質量をより広範囲に亘って小刻みに変化させることができる。
【００６４】
したがって、上記第１の実施の形態と同様に、ウエイト４３を用いて第２の移動部材２２ａ，２２ｂの質量を変化させることで、第２の移動部材２２ａ，２２ｂが遠心力を受けてスプール１２の径方向に動き始めるタイミングを自由に変えることができる。
【００６５】
よって、スプールに対する磁気制動力の効き具合を釣人の好みや個人差に対応し得るように幅広く調節することができる。
【００６６】
なお、スプールの径方向に移動可能な第２の移動部材の数は、第１の実施の形態に特定されるものではなく、例えば三個ないし六個の第２の移動部材をスプール軸に対し放射状に配置してもよい。
【００６７】
さらに、例えば四個の第２の移動部材をスプール軸に対し放射状に配置する場合に、夫々の第２の移動部材を、スプールの径方向への移動を許容するフリー状態と、径方向への移動を禁止する静止状態とに切り換え可能とし、スプールの径方向に移動可能な第２の移動部材の数を選択し得る構成としてもよい。
【図面の簡単な説明】
【００６８】
【図１】本発明の第１の実施の形態に係る魚釣用リールを一部断面で示す平面図。
【図２】本発明の第１の実施の形態において、スプールに組み込まれた制動機構を示す断面図。
【図３】本発明の第１の実施の形態において、第１の移動部材の支持壁に第２の移動部材を取り付けた状態を示す断面図。
【図４】本発明の第１の実施の形態において、第１の移動部材、第２の移動部材および導電体の位置関係を示す断面図。
【図５】本発明の第１の実施の形態において、第２の移動部材にウエイトを装着したスプールの断面図。
【図６】本発明の第１の実施の形態において、第１の移動部材に支持された第２の移動部材にウエイトを装着した状態を示す断面図。
【図７】本発明の第１の実施の形態において、ウエイトを装着した第２の移動部材と第１の移動部材との位置関係を示す断面図。
【図８】本発明の第１の実施の形態において、第２の移動部材にウエイトを装着した状態を示す断面図。
【図９】本発明の第２の実施の形態において、第２の移動部材にウエイトを装着した状態を示す断面図。
【符号の説明】
【００６９】
１…魚釣用リール、２…リール本体、９…スプール軸、１２…スプール、１８…制動機構（バックラッシュ防止機構）、１９…第１の磁石、２０…第２の磁石、２１…第１の移動部材、２２ａ，２２ｂ…第２の移動部材、２３…導電体、３４…弾性部材（圧縮コイルばね）、３６…重量調節体。
【図１】
2008178310.tif 000003
【図２】
2008178310.tif 000004
【図３】
2008178310.tif 000005
【図４】
2008178310.tif 000006
【図５】
2008178310.tif 000007
【図６】
2008178310.tif 000008
【図７】
2008178310.tif 000009
【図８】
2008178310.tif 000010
【図９】
2008178310.tif 000011